(57)【要約】  【課題】  香料、忌避剤等の薬剤を放散させるための方法と装置に関し、有害な揮発性薬剤等を放散させることがなく、しかも香料等の薬剤を積極的に放散させることのできる香料、忌避剤等の薬剤の放散方法と装置を提供することを課題とする。  【解決手段】  香料、忌避剤等の薬剤の有効成分を含む上層部５と、下層部６との少なくとも２層に分離されるように調合された薬液を収容容器１内に収容し、前記下層部６にエアーを吹き込み、該下層部６で発生する気泡を上昇させて前記上層部５中の有効成分とともに収容容器１の外部に放散することを特徴とする。【選択図】  図１
2006000365.tif 000002
【特許請求の範囲】
【請求項１】
香料、忌避剤等の薬剤の有効成分を含む上層部（５）と、下層部（６）との少なくとも２層に分離されるように調合された薬液を収容容器（１）内に収容し、前記下層部（６）にエアーを吹き込み、該下層部（６）で発生する気泡を上昇させて前記上層部（５）中の有効成分とともに収容容器（１）の外部に放散することを特徴とする香料、忌避剤等の薬剤の放散方法。
【請求項２】
下層部（６）がアルカリイオン水等の機能性水からなる請求項１記載の香料、忌避剤等の薬剤の放散方法。
【請求項３】
エアーの吹き込みによる下層部（６）での気泡の発生が、収容容器（１）の底部近傍の略全面から上側に向かってなされる請求項１又は２記載の香料、忌避剤等の薬剤の放散方法。
【請求項４】
香料、忌避剤等の薬剤の有効成分を含む上層部（５）と、下層部（６）との少なくとも２層に分離されるように調合された薬液を収容した収容容器（１）と、前記下層部（６）にエアーを吹き込むエアー吹込手段とからなり、該エアー吹込手段により吹き込まれたエアーによって前記下層部（６）で発生する気泡が上昇して前記上層部（５）中の有効成分とともに前記収容容器（１）の外部に放散されるように構成されてなることを特徴とする香料、忌避剤等の薬剤の放散装置。
【請求項５】
下層部（６）がアルカリイオン水等の機能性水からなる請求項４記載の香料、忌避剤等の薬剤の放散装置。
【請求項６】
エアーの吹き込みによる下層部（６）での気泡の発生が、収容容器（１）の底部近傍の略全面から上側に向かってなされるように構成されている請求項４又は５記載の香料、忌避剤等の薬剤の放散装置。
【発明の詳細な説明】
【技術分野】
【０００１】
本発明は、香料、忌避剤等の薬剤を放散させるための方法と装置に関する。
【背景技術】
【０００２】
一般に、芳香剤等の徐放性薬剤は、たとえば香料等の有効成分と揮発成分とからなり、容器に収納した状態で室内等に設置して使用されており、その容器の開口部から薬剤が徐々に放散されて室内に拡散する。このような芳香剤の容器は、その芳香剤中の有効成分（芳香成分）を自然に放散させるものであり、その芳香成分の放散は、芳香剤中の揮発成分によることとなる。
【０００３】
このような揮発成分としては、芳香成分が放散する時間を短縮するために、たとえばグリコールエーテルやアルコールのような揮発性の溶剤が用いられている。しかし、このような揮発性溶剤は本来は有害な成分であり、特に子供や老人が居住する室内等でこのような揮発性溶剤を芳香成分とともに気化させるのは好ましいことではない。
【０００４】
これに対して、自然放散によることなく、芳香性物質等を積極的に放散させる技術として、たとえば下記特許文献１のような出願がなされている。
【特許文献１】特開２０００−２４５８１９号公報
【０００５】
この特許文献１に係る出願は、発散器内にエアーを供給し、その発散器内の多孔性物質により液状のテルペン類等の芳香性物質を発散させるものである。しかし、この特許文献１に係る出願は、比較的狭い範囲で徐々に悪臭、異臭を除去することを意図するものではなく、建物全体の各部屋のような広い空間に対するものや、病室に入院している寝たきり老人のシーツ等の限られた対象の急速な悪臭、異臭の除去を意図するものである。この特許文献１に係る出願では、発散器内に供給されるエアーが、芳香性物質を担持した多孔性物質に直接供給され、その多孔性物質に担持された芳香性物質を気化させるものであるため、短時間に消臭等の効果を発揮することはできるが、この場合でも上述のように揮発成分を放散させているので、有害な成分が短期間で放散されていることになる。従って、上述のように建物全体の各部屋のような広い空間における急速な悪臭、異臭の除去を行なう場合にはともかく、１室のみの狭い室内における芳香成分の放散等を意図する場合には、揮発成分が短期間で放散されるのは好ましいことではない。
【発明の開示】
【発明が解決しようとする課題】
【０００６】
本発明は、このような問題点を解決するためになされたもので、有害な揮発性薬剤等を放散させることがなく、しかも香料等の薬剤を積極的に放散させることのできる香料、忌避剤等の薬剤の放散方法と装置を提供することを課題とする。
【課題を解決するための手段】
【０００７】
本発明は、このような課題を解決するために、香料、忌避剤等の薬剤の放散方法とその装置としてなされたもので、薬剤の放散方法としての特徴は、香料、忌避剤等の薬剤の有効成分を含む上層部５と、下層部６との少なくとも２層に分離されるように調合された薬液を収容容器１内に収容し、前記下層部６にエアーを吹き込み、該下層部６で発生する気泡を上昇させて前記上層部５中の有効成分とともに収容容器１の外部に放散することである。
【０００８】
また、薬剤の放散装置としての特徴は、香料、忌避剤等の薬剤の有効成分を含む上層部５と、下層部６との少なくとも２層に分離されるように調合された薬液を収容した収容容器１と、前記下層部６にエアーを吹き込むエアー吹込手段とからなり、該エアー吹込手段により吹き込まれたエアーによって前記下層部６で発生する気泡が上昇して前記上層部５中の有効成分とともに前記収容容器１の外部に放散されるように構成されてなることを特徴とする。
【０００９】
下層部６には、アルカリイオン水やマイナスイオン調整水のような機能性水を用いるのが好ましい。下層部６を構成する水には防腐処理を施す必要があり、その防腐処理によって水のｐＨが低下することとなるが、水が酸性化すると上層部５中の芳香成分等の機能を損なうおそれがあり、下層部６の水をアルカリイオン水とすることで、水の酸性化を防止して芳香成分等の機能を損なうのを防止できるからである。また、アルカリイオン水やマイナスイオン調整水等の機能性水を用いることで、抗菌効果を具備させることもできる。      
【００１０】
またエアーの吹き込みによる下層部６での気泡の発生が、収容容器１の底部近傍の略全面から上側に向かってなされるように構成することも可能である。このように収容容器１の底部近傍の略全面から上側に向かって気泡を発生させる手段として、たとえば収容容器１内の下部に多孔体を設置し、該多孔体の直下にエアー吹込手段からのエアーを供給して該多孔体を介して下層部６にエアーが吹き込まれるような手段が例示される。
【発明の効果】
【００１１】
本発明によれば、上述のように香料、忌避剤等の薬剤の有効成分を含む上層部５と、下層部６との少なくとも２層に分離されるように調合された薬液を収容容器１内に収容し、前記下層部６にエアーを吹き込み、該下層部６で発生する気泡を上昇させて前記上層部５中の有効成分とともに収容容器１の外部に放散するので、自然放散によることなく、有効成分が速やかに放散されることとなる。
【００１２】
しかも、有効成分を含有する上層部に直接エアーが吹き込まれるのではなく、下層部にエアーが吹き込まれ、そのエアーの吹き込みによって発生した気泡（水蒸気等）が上昇する際に上層部中の有効成分を保持して放散するので、薬剤中の有効成分が、揮発成分とともに放散してしまうようなことがなく、長期間にわたって放散量を調整することができるという効果がある。
【００１３】
そして、このように下層部で気泡を発生させて有効成分を放散させることができるので、従来のようにグリコールエーテル等の有害な揮発性溶剤を芳香剤等に混合させる必要がなく、子供や老人等が居住する室内等でも安心して使用することができる。
【００１４】
また、従来のような溶剤を含まず、下層部にエアーを吹き込むことによって上層部中の有効成分を放散させるので、エアー吹込手段を作動させない限り有効成分が極端に放散されることがなく、その結果、エアー吹込手段を作動させる駆動手段等をＯＮ−ＯＦＦさせることで、調節しながら放散を行なうことができるという効果がある。
【００１５】
さらに、エアーを吹き込むことによって有効成分を放散させるので、たとえば複数の収容容器に、それぞれことなる芳香成分を含有させ、エアー吹込手段をそれぞれの収容容器において適量にコントロールすることで、種類の異なる芳香成分等を時間差をもって放散させるようなことが可能となる。また、昼は香料を放散させ、夜は忌避剤を放散させる等の使い分けをすることも可能となる。
【００１６】
さらに、エアー吹込手段により下層部に気泡を発生することでマイナスイオンが発生し、人体への好影響を期待することができる。また、下層部の水にマイナスイオン調整水を用いると、同様の効果を期待できる。さらに、下層部にアルカリイオン水を用いた場合には、防腐処理に伴う水の酸性化を防止して芳香成分等の機能を維持することができ、また抗菌効果を付与させることもできる。
【００１７】
さらに、エアーの吹き込みによる水層での気泡の発生が、収容容器の底部近傍の略全面から上側に向かってなされるように構成した場合には、水層内の全域で略均一に気泡が生ずることとなり、その結果、有効成分の放散がより効率的に行なわれることとなる。
【発明を実施するための最良の形態】
【００１８】
以下、本発明の実施形態について図面に従って説明する。
（実施形態１）
本実施形態の香料の放散装置は、図１に示すように、香料を含有する薬液を収容するための収容容器１と、該収容容器１内にエアーを供給するためのエアー供給管２と、ファン３とで構成されている。
【００１９】
収容容器１の上面には開口部４が形成され、該収容容器１の内部には薬液が収容されているが、その薬液は、芳香成分である香料を含有する油層からなる上層部５と、水層からなる下層部６とに自然分離されて構成されている。上層部５中の香料としては、一般に使用されている種々の香料を使用することができる。また下層部６は、本実施形態ではアルカリイオン水からなる。
【００２０】
前記エアー供給管２は、図１に示すように略Ｌ字状に屈曲して形成され、上面の開口部４から上層部５を通過し、エアーの吹出口となる先端部２ａが下層部６に臨出するように、下向きに配置されている。ファン３は、収容容器１の開口部４の上方に設置されている。
【００２１】
そして、このような構成からなる香料の放散装置を使用する場合には、先ずエアーポンプ（図示せず）からエアー供給管２を介して収容容器１内にエアーを供給する。この場合において、エアーの吹出口となる先端部２ａが下層部６に臨出するようにエアー供給管２が設けられているため、供給されるエアーは収容容器１内の下層部６の部分で吹き出し、その部分で気泡が生ずることとなる。
【００２２】
発生した気泡は水蒸気として下層部６内を上昇し、上層部５へ至り、上層部５中の芳香成分（香料）を保持し、付着させて、水蒸気が芳香成分とともに収容容器１の開口部４から外部に放出されることとなる。このため、従来のような揮発成分を用いることなく芳香成分を放散させることが可能となるのである。しかも、下層部６へのエアーの吹き込みによって気泡となった水蒸気を芳香成分とともに放散させるので、自然放散させる場合に比べて効率よく放散させることができる。
【００２３】
このように、本実施形態では、気泡となった水蒸気を芳香成分とともに放散させることで気化促進を図ることができるので、気化促進のために一般に行なわれているグリコールエーテル、アルコール等の揮発性溶剤を用いる必要がなく、安全性を高めることができるのである。また下層部６にアルカリイオン水を用いているので、その下層部６を構成する水の酸性化を防止でき、ひいては芳香成分の機能を喪失させるのを防止できる。
【００２４】
（実施形態２）
本実施形態の香料の放散装置も、上記実施形態１と同様に、収容容器１、エアー供給管２、及びファン３で構成されているが、エアー供給管２が収容容器１の底部近辺の側方から収容容器１内に挿入されており、この点で上面の開口部４からエアー供給管２が下向きに挿入されていた実施形態１の場合と相違する。
【００２５】
すなわち、本実施形態では、図２に示すように多数の細孔８を有する多孔板７が収容容器１の下部側に設置されており、その多孔板７と収容容器１の底面との間がエアー供給室９として形成されている。油層５と水層６とが分離した状態で収容容器１内に収容されている点、ファン３が収容容器１の開口部４の上方に設置されている点は、実施形態１と同じである。
【００２６】
本実施形態では、エアーポンプ（図示せず）からエアー供給管２を介してエアー供給室９にエアーが供給される。供給されたエアーはエアー供給室９内に充満し、多孔板７の細孔８を介して下側から水層６内に吹き込まれる。そして、気泡化した水蒸気が下層部６から上層部５へ至り、上層部５中の芳香成分を保持して芳香成分とともに収容容器１の開口部４から外部に放出される点は実施形態１と同じである。
【００２７】
本実施形態においては、上述のように収容容器１の下部のエアー供給室９から多孔板７の細孔８を介して該多孔板７の略全面から上側に向かって下層部６内にエアーが吹き込まれるので、実施形態１に比べると下層部６内の全域で略均一に気泡が生ずることとなり、その結果、芳香成分の放散がより効率的に行なわれることとなる。
【００２８】
（実施形態３）
本実施形態の香料の放散装置も、上記実施形態１や２と同様に、収容容器１、エアー供給管２、及びファン３で構成されており、またエアー供給管２が収容容器１の底部近辺の側方から収容容器１内に挿入されている点で実施形態２と共通する。しかし、本実施形態では、実施形態２のような多孔板７やエアー供給室９は存在せず、図３に示すようにエアー供給管２に多数の細孔１０が形成され、そのエアー供給管２が収容容器１の底部近辺の側方から下層部６の部分に直接挿入されており、この点で実施形態２と相違する。
【００２９】
本実施形態では、エアー供給管２の細孔１０から下層部６内にエアーが直接吹き込まれる。そして、気泡化した水蒸気が下層部６から上層部５へ至り、上層部５中の芳香成分を保持して芳香成分とともに収容容器１の開口部４から外部に放出される点は実施形態１、２と同じである。本実施形態においては、エアー供給管２の多数の細孔１０から下層部６内にエアーが吹き込まれるので、実施形態２と同様に下層部６内の全域で略均一に気泡が生ずることとなり、芳香成分の放散が効率的に行なわれることとなるのである。
【００３０】
（実施形態４）
本実施形態の香料の放散装置は、図４に示すように、収容容器１と、エアーポンプ１１と、エアー供給管２と、ファン３と、電池１２とが、同図の２点鎖線で示すようなケーシング１３内に収納されて構成されている。収容容器１内に上層部５と下層部６とが分離した状態で収容されている点は、実施形態１乃至３と同じであり、先端部２ａが下層部６に臨出するように、下向きに配置されている点は実施形態１と同じである。エアー供給管２は、エアーポンプ１１に接続されている。
【００３１】
電池１２は、エアーポンプ１１を駆動させるための駆動源である。ファン３は、回転羽根状に形成されて、前記収容容器１の上部に配置されており、そのファン３の周囲にはファンガイド１４が設けられている。
【００３２】
本実施形態の香料の放散装置は、たとえば室内の壁面等にケーシング１３を設置する等によって使用されるもので、これを作動させる場合には、スイッチ（図示せず）をＯＮの状態としてエアーポンプ１１を駆動させることでエアー供給機構が作動する。収容容器１内にエアーが供給されて下層部６で気泡を発生させ、芳香成分を保持して放散させる作用は実施形態１と同じである。
【００３３】
（その他の実施形態）
尚、上記実施形態４では収容容器１等をケーシング１３内に設置し、実施形態１乃至３ではケーシング１３を具備していないが、ケーシング１３の有無は問わない。いずれにしても、本発明の放散装置は、要は香料等の有効成分を含む上層部５と、下層部６とに分離された液を収容した収容容器１と、その下層部６にエアーを吹き込むエアーを吹き込み手段を具備していればよく、それ以外の構成部材の有無等は問わない。
【００３４】
また、装置に具備させる収容容器１の数も上記各実施形態のように１個に限らず、２個以上具備させることも可能であり、この場合には、異なる種類の芳香剤を使用することができるとともに、たとえば異なる種類の芳香剤を任意の時間に放散させるようなことも可能となる利点がある。
【００３５】
さらに、上記実施形態では、下層部６にアルカリイオン水を用いたが、アルカリイオン水に代えてマイナスイオン調整水を用いることも可能である。この場合には、人体に対する好影響を期待することができる他、芳香成分の種類に応じて、いわゆる「癒し効果」等を付与することができる。尚、このようなアルカリイオン水やマイナスイオン調整水を用いることで、上述のような効果を得ることができるが、これらの機能性を付与した水以外の一般の水を下層部６に用いることも、本発明に含むものである。一般の水を用いた場合であっても、水中に気泡を発生させること自体でマイナスイオンが発生するので、マイナスイオン調整水を用いる場合と同様の効果が得られることとなる。
【００３６】
さらに、エアー吹き込み手段として、上記実施形態ではエアーポンプを用いたが、エアーポンプ以外の手段を用いることも可能である。
【００３７】
また、本発明は、上記のような香料に適用することを主眼とするものではあるが、香料以外にたとえば忌避剤、消臭剤等にも適用することが可能であり、さらにはこのような薬剤以外に、殺虫剤、防黴剤等の薬剤に適用することも可能であり、要は上記のような気泡を利用して放散させることのできる薬剤であればその種類を問わず適用可能である。
【００３８】
さらに、本発明は、上述のように上層部５が油層、下層部６が水層で構成された油水分離の薬液を用い、水層の下層部６にエアーを吹き込むことで、気泡化した水蒸気とともに上層部５中の有効成分を放散させることを主眼としているが、このような油層と水層に分離された薬液以外の、２層に自然分離された薬液に本発明を適用することも可能である。要は、香料、忌避剤等の薬剤の有効成分を含む上層部５と、下層部６との少なくとも２層に分離されるように調合された薬液であれば、本発明に適用することができる。
【００３９】
ここで「少なくとも２層」とは、２層に分離される場合に限らず、３層以上に自然分離されるような薬液に本発明を適用することも可能であることを意味する。
【産業上の利用可能性】
【００４０】
本発明の香料等の薬剤の放散方法と装置は、香料の他、消臭剤、忌避剤、殺虫剤、防黴剤等、種々の薬剤に広く適用することができる。
【図面の簡単な説明】
【００４１】
【図１】一実施形態の香料の放散装置の概略正面図。
【図２】他実施形態の香料の放散装置の概略正面図。
【図３】他実施形態の香料の放散装置の概略正面図。
【図４】他実施形態の香料の放散装置の概略正面図。
【符号の説明】
【００４２】
１…収容容器            ２…エアー供給管
５…上層部              ６…下層部
７…多孔板
【図１】
2006000365.tif 000003
【図２】
2006000365.tif 000004
【図３】
2006000365.tif 000005
【図４】
2006000365.tif 000006